(57)【要約】【課題】微弱蛍光顕微鏡撮影のようにライブ像の取得に長時間露出が必要とされる場合であっても、ズーム時のスクロールをレスポンス良く行うことができるようにする。【解決手段】画像入力装置は、指定されたズーム範囲の画像を入力する画像入力部３と、画像入力部３にズーム範囲を指定する処理，画像入力部３によりスクロールを開始する前に入力された画像をスクロールする処理，スクロールが終了するとスクロールが終了した時点のスクロール位置に対応したズーム範囲を画像入力部３に指定する処理等を行うシステムコントローラ５と、を有する。【選択図】図１
2005221709.tif 000002
【特許請求の範囲】
【請求項１】
ズーム範囲を指定するズーム範囲指定手段と、
前記ズーム範囲指定手段により指定されたズーム範囲の画像を入力する画像入力手段と、
前記画像入力手段によりスクロールを開始する前に入力された画像をスクロールするスクロール手段とを有し、
前記ズーム範囲指定手段は、前記スクロール手段によるスクロールが終了すると、前記スクロールが終了した時点のスクロール位置に対応したズーム範囲を前記画像入力手段に指定する、
ことを特徴とする画像入力装置。
【請求項２】
ズーム範囲を指定するズーム範囲指定手段と、
前記ズーム範囲指定手段により指定されたズーム範囲の画像を入力する画像入力手段と、
前記画像入力手段によりスクロールを開始する前に入力された画像をスクロールに使用する画像としてスクロールする、又は、スクロール中において、前記ズーム範囲指定手段によりスクロール位置に対応したズーム範囲が指定された後、スクロールに使用する画像とされている画像と、前記画像入力手段により入力された、前記ズーム範囲指定手段により指定された前記スクロール位置に対応したズーム範囲の画像とを、前記スクロール位置に対応したズーム範囲に基づいて合成した合成画像をスクロールに使用する画像としてスクロールする、スクロール手段とを有し、
前記ズーム範囲指定手段は、前記スクロール手段によるスクロールが終了すると、前記スクロールが終了した時点のスクロール位置に対応したズーム範囲を前記画像入力手段に指定する、
ことを特徴とする画像入力装置。
【請求項３】
ズーム範囲を指定するズーム範囲指定手段と、
前記ズーム範囲指定手段により指定されたズーム範囲の画像を入力する画像入力手段と、
スクロールを開始する前に、ズーム可能な全範囲の画像を取得するズーム可能範囲画像取得手段と、
前記ズーム可能範囲画像取得手段により取得された画像をスクロールするスクロール手段とを有し、
前記ズーム範囲指定手段は、前記スクロール手段によるスクロールが終了すると、前記スクロールが終了した時点のスクロール位置に対応したズーム範囲を前記画像入力手段に指定する、
ことを特徴とする画像入力装置。
【請求項４】
スクロールを開始する前に、第１のズーム範囲を指定し、
前記指定した第１のズーム範囲の画像を入力し、
前記入力した画像をスクロールし、
前記スクロールが終了すると、前記スクロールが終了した時点のスクロール位置に対応した第２のズーム範囲を指定し、
前記指定した第２のズーム範囲の画像を入力する、
ことを特徴とする画像入力方法。
【請求項５】
スクロールを開始する前に、第１のズーム範囲を指定し、
前記指定した第１のズーム範囲の画像を入力し、
前記入力した画像をスクロールに使用する画像としてスクロールし、又は、スクロール中において、スクロール位置に対応した第２のズーム範囲を指定した後、スクロールに使用する画像とされている画像と前記指定した第２のズーム範囲の画像とを前記第２のズーム範囲に基づいて合成した合成画像をスクロールに使用する画像としてスクロールし、
前記スクロールが終了すると、前記スクロールが終了した時点のスクロール位置に対応した第３のズーム範囲を指定し、
前記指定した第３のズーム範囲の画像を入力する、
ことを特徴とする画像入力方法。
【請求項６】
スクロールを開始する前に、ズーム可能な全範囲の画像を取得し、
前記取得したズーム可能な全範囲の画像をスクロールし、
前記スクロールが終了すると、前記スクロールが終了した時点のスクロール位置に対応したズーム範囲を指定し、
前記指定したズーム範囲の画像を入力する、
ことを特徴とする画像入力方法。
【請求項７】
画像入力装置のコンピュータに、
スクロールを開始する前に、第１のズーム範囲を指定する機能と、
前記指定した第１のズーム範囲の画像を入力する機能と、
前記入力した画像をスクロールする機能と、
前記スクロールが終了すると、前記スクロールが終了した時点のスクロール位置に対応した第２のズーム範囲を指定する機能と、
前記指定した第２のズーム範囲の画像を入力する機能と、
を実現させるための画像入力プログラム。
【請求項８】
画像入力装置のコンピュータに、
スクロールを開始する前に、第１のズーム範囲を指定する機能と、
前記指定した第１のズーム範囲の画像を入力する機能と、
前記入力した画像をスクロールに使用する画像としてスクロールし、又は、スクロール中において、スクロール位置に対応した第２のズーム範囲を指定した後、スクロールに使用する画像とされている画像と前記指定した第２のズーム範囲の画像とを前記第２のズーム範囲に基づいて合成した合成画像をスクロールに使用する画像としてスクロールする機能と、
前記スクロールが終了すると、前記スクロールが終了した時点のスクロール位置に対応した第３のズーム範囲を指定する機能と、
前記指定した第３のズーム範囲の画像を入力する機能と、
を実現させるための画像入力プログラム。
【請求項９】
画像入力装置のコンピュータに、
スクロールを開始する前に、ズーム可能な全範囲の画像を取得する機能と、
前記取得したズーム可能な全範囲の画像をスクロールする機能と、
前記スクロールが終了すると、前記スクロールが終了した時点のスクロール位置に対応したズーム範囲を指定する機能と、
前記指定したズーム範囲の画像を入力する機能と、
を実現させるための画像入力プログラム。
【発明の詳細な説明】
【技術分野】
【０００１】
本発明は、顕微鏡像をライブ像として表示し静止画や動画を記録する画像入力装置に関し、特に、ライブ像のズーム、スクロール機能を有する画像入力装置に関する。
【背景技術】
【０００２】
近年のパーソナルコンピュータ（ＰＣ）の高性能化により、顕微鏡像をライブ像として表示し、フォーカスやフレームを確認してから静止画や動画を撮影する画像入力装置が実現されている。
また、顕微鏡を用いて実験を行う場合においては、一端、実験系をセットアップするとステージを移動させずに標本の状態を維持したまま観察を継続することがある。例えば、細胞生理学分野では、培養細胞に先端口径１μｍ程度のガラス電極を押しつけて、細胞膜表面上のチャネルを通る電流を測定する方法がある（パッチクランプ法）。このような実験系では、ステージを動かすとガラス電極が外れてしまうので、ステージを動かさずにライブ像のみで標本の細部を拡大して確認したいなどの要求がある。このため、画像入力装置の中には、ステージを移動させずに、ライブ像を拡大、スクロールでき、標本の細部を確認できるようにした画像入力装置がある。この画像入力装置では、オペレータが画像入力装置にスクロールを指示すると、画像入力装置がオペレータから指示されたスクロール位置でライブ像を取得し表示するようにしている。
【０００３】
一方で、特許文献１には、地図のスクロールを素早く行う為に、図面を小図面に分割し、スクロールを行うときに小図面から１枚の図面を作成してスクロールを素早く行うようにしたシステムが記載されている。
また、特許文献２には、地図のスクロールをすばやく行う為に、参照中の画像の近傍の画像を予め用意したメモリ領域に保存しておき、スクロールの必要が生じたときに表示するようにしたシステムが記載されている。
【特許文献１】特開２０００−１８４２７９号公報
【特許文献２】特開２００１−２４９６５３号公報
【発明の開示】
【発明が解決しようとする課題】
【０００４】
しかしながら、前述の画像入力装置においては、これを微弱蛍光顕微鏡撮影に適用すると、微弱蛍光顕微鏡撮影では露出（露光）時間が長くなるためにライブ像の取得スピードが遅くなり、オペレータがスクロールを指示しても即座にライブ像がスクロールされず、使い勝手の悪いものであった。
【０００５】
図１０(a),(b) は、従来の画像入力装置を顕微鏡撮影に適用したときの動作例を示したものであり、オペレータのスクロール指示に対して画像入力装置がスクロール結果を表示するシーケンスを示したものである。
オペレータが画像入力装置に対してスクロール位置を指定しスクロールを指示すると、画像入力装置は、指定されたスクロール位置に応じたズーム範囲の画像を撮影して表示する。このとき、撮影時の露出時間が短い場合には、同図(a) に示したように、オペレータがスクロールを指示すると直ぐにそのスクロール位置に応じた画像（ライブ像）が画像入力装置により表示される。しかしながら、微弱蛍光顕微鏡撮影のように露出時間が長い場合には、ライブ像の撮影に長時間を要するため、同図(b) に示したように、オペレータがスクロールを指示しても直ぐにそのスクロール位置に応じた画像（ライブ像）が表示されず、そのスクロール位置に応じたライブ像が表示されるまでに長い時間がかかってしまう。
【０００６】
一方で、特許文献１や特許文献２に係るシステムでは、一度撮影した画像をスクロールする場合には有効であるが、ライブ像の場合には利用することができない。
本発明は、上記実情に鑑み、微弱蛍光顕微鏡撮影のようにライブ像の取得に長時間露出が必要とされる場合であっても、ズーム時のスクロールをレスポンス良く行うことができる、画像入力装置、画像入力方法、及び画像入力プログラムを提供することを目的とする。
【課題を解決するための手段】
【０００７】
上記目的を達成するため、本発明の第１の態様に係る画像入力装置は、ズーム範囲を指定するズーム範囲指定手段と、前記ズーム範囲指定手段により指定されたズーム範囲の画像を入力する画像入力手段と、前記画像入力手段によりスクロールを開始する前に入力された画像をスクロールするスクロール手段とを有し、前記ズーム範囲指定手段は、前記スクロール手段によるスクロールが終了すると、前記スクロールが終了した時点のスクロール位置に対応したズーム範囲を前記画像入力手段に指定する、とした構成である。
【０００８】
本構成によれば、ズーム範囲がズーム範囲指定手段により指定される。また、ズーム範囲指定手段により指定されたズーム範囲の画像が画像入力手段により入力される。また、画像入力手段によりスクロールを開始する前に入力された画像がスクロール手段によりスクロールされる。そして、スクロール手段によるスクロールが終了すると、そのスクロールが終了した時点のスクロール位置に対応したズーム範囲がズーム範囲指定手段により画像入力手段に指定される。
【０００９】
本発明の第２の態様に係る画像入力装置は、ズーム範囲を指定するズーム範囲指定手段と、前記ズーム範囲指定手段により指定されたズーム範囲の画像を入力する画像入力手段と、前記画像入力手段によりスクロールを開始する前に入力された画像をスクロールに使用する画像としてスクロールする、又は、スクロール中において、前記ズーム範囲指定手段によりスクロール位置に対応したズーム範囲が指定された後、スクロールに使用する画像とされている画像と、前記画像入力手段により入力された、前記ズーム範囲指定手段により指定された前記スクロール位置に対応したズーム範囲の画像とを、前記スクロール位置に対応したズーム範囲に基づいて合成した合成画像をスクロールに使用する画像としてスクロールする、スクロール手段とを有し、前記ズーム範囲指定手段は、前記スクロール手段によるスクロールが終了すると、前記スクロールが終了した時点のスクロール位置に対応したズーム範囲を前記画像入力手段に指定する、とした構成である。
【００１０】
本構成によれば、ズーム範囲がズーム範囲指定手段により指定される。また、ズーム範囲指定手段により指定されたズーム範囲の画像が画像入力手段により入力される。また、画像入力手段によりスクロールが開始される前に入力された画像が、スクロールに使用する画像としてスクロール手段によりスクロールされる、又は、スクロール中において、ズーム範囲指定手段によりスクロール位置に対応したズーム範囲が指定された後、スクロールに使用する画像とされている画像と、画像入力手段により入力された、ズーム範囲指定手段により指定されたそのスクロール位置に対応したズーム範囲の画像とが、そのスクロール位置に対応したズーム範囲に基づいて合成された合成画像が、スクロールに使用する画像としてスクロール手段によりスクロールされる。そして、スクロール手段によるスクロールが終了すると、そのスクロールが終了した時点のスクロール位置に対応したズーム範囲がズーム範囲指定手段により画像入力手段に指定される。
【００１１】
本発明の第３の態様に係る画像入力装置は、ズーム範囲を指定するズーム範囲指定手段と、前記ズーム範囲指定手段により指定されたズーム範囲の画像を入力する画像入力手段と、スクロールを開始する前に、ズーム可能な全範囲の画像を取得するズーム可能範囲画像取得手段と、前記ズーム可能範囲画像取得手段により取得された画像をスクロールするスクロール手段とを有し、前記ズーム範囲指定手段は、前記スクロール手段によるスクロールが終了すると、前記スクロールが終了した時点のスクロール位置に対応したズーム範囲を前記画像入力手段に指定する、とした構成である。
【００１２】
本構成によれば、ズーム範囲がズーム範囲指定手段により指定される。また、ズーム範囲指定手段により指定されたズーム範囲の画像が画像入力手段により入力される。また、スクロールを開始する前に、ズーム可能な全範囲の画像がズーム可能範囲画像取得手段により取得される。また、ズーム可能範囲画像取得手段により取得された画像がスクロール手段によりスクロールされる。そして、スクロール手段によるスクロールが終了すると、スクロールが終了した時点のスクロール位置に対応したズーム範囲がズーム範囲指定手段により画像入力手段に指定される。
【００１３】
また、本発明は、上述の画像入力装置に限らず、画像入力方法、及び画像入力プログラムとして構成することも可能である。
【発明の効果】
【００１４】
本発明によれば、微弱蛍光顕微鏡撮影のようにライブ像の取得に長時間露出が必要とされる場合であっても、ズーム時のスクロールをレスポンス良く行うことができる。
【発明を実施するための最良の形態】
【００１５】
以下、本発明の実施例を図面を参照しながら説明する。
【実施例１】
【００１６】
図１は、本発明の実施例１に係る画像入力装置を含む顕微鏡システムの構成を示した図である。
同図において、顕微鏡１は、対物レンズと図示しないアダプタレンズによって標本を光束２に拡大する。
【００１７】
画像入力部３は、光束２を光電変換によってアナログ電気信号に変換し、そのアナログ電気信号をデジタル電気信号に変換する。そして、そのデジタル電気信号に係るデジタル画像に対して色処理を行いラスタ画像をＩ／Ｆ４に出力する。尚、画像入力部３は、顕微鏡画像の光束２をラスタ画像に変換できるように顕微鏡１のＴＶ光路に設置されている。また、画像入力部３は、前述のデジタル画像を使用して、明るさが適切になるように露出時間を求める自動露出制御機能を有する。また、画像入力部３は、システムコントローラ５からの命令をＩ／Ｆ４を介して受け取り、その命令に従った処理を行う。例えば、システムコントローラ５からライブ像取得要求を受け取ると、原則として、データ量を少なくして処理速度を向上する為にラスタ画像を縮小して出力する。但し、ズーム要求を受け取った後は、ラスタ画像を縮小する代わりに、ラスタ画像の指定されたズーム範囲の像を切り出して、標準ライブ像（前述の縮小して出力したラスタ画像）と同じ解像度のラスタ画像を出力する。また、システムコントローラ５から静止画取得要求を受け取ると、高解像度で画質の高い静止画のラスタ画像を出力する。
【００１８】
ここで、画像入力部３が出力するラスタ画像の一例を図２に示す。
同図において、ラスタ画像２２及び２３は、画像入力部３から出力されるラスタ画像の一例である。ラスタ画像２２は、標準ライブ像として使用される、ラスタ画像２１を縮小したラスタ画像を示している。また、ラスタ画像２３は、ズームライブ像として使用される、ラスタ画像２１からズーム範囲２４を切り出したラスタ画像を示している。
【００１９】
また、図１において、Ｉ／Ｆ４は、画像入力部３が出力したライブ像又は静止画のラスタ画像を受け取りデータメモリ６に転送する。また、Ｉ／Ｆ４は、システムコントローラ５と画像入力部３との間での命令の仲介を行う。また、Ｉ／Ｆ４は、ライブ像のラスタ画像の転送を完了すると、ライブ像転送完了通知をシステムコントローラ５に通知する。また、Ｉ／Ｆ４は、静止画のラスタ画像の転送を完了すると、静止画取得完了通知をシステムコントローラ５に通知する。
【００２０】
データメモリ６は、Ｉ／Ｆ４から出力されたラスタ画像を保持すると共に、システムコントローラ５やグラフィック描画部７からアクセス(データの書き込みと読み込み)が可能となっている。
グラフィック描画部７は、グラフィック全般の処理を行い、描画結果を表示メモリ８に転送する機能を有する。すなわち、データメモリ６に保持されているラスタ画像を読み出し、システムコントローラ５の命令に基づき、グラフィックを描画合成し、表示メモリ８にその結果の画像となるラスタ画像を出力する。例えば、カーソル位置がシステムコントローラ５から通知されると、そのカーソル位置に、カーソルに係るグラフィックを描画合成した画像を表示メモリ８に出力する。
【００２１】
システムコントローラ（ＣＰＵ）５は、プログラムメモリ９に格納されているコントロールプログラム（画像入力プログラムを含む）１０を読み出し実行することにより、本システム全体の動作をコントロールするものである。例えば、システムコントローラ５は、命令入力装置１１から通知された情報を保持し、その情報に従って、各処理部に処理の割り振りと調整、情報の通知を行う。また、システムコントローラ５は、Ｉ／Ｆ４からライブ像転送完了通知を受け取ると、グラフィック描画部７に対し、データメモリ６に保持されているラスタ画像を読み出しグラフィックを描画合成して表示メモリ８への転送を指示する描画合成要求を行う。また、システムコントローラ５は、常に座標入力装置１２からの情報を受け取ることができ、その最新情報を保持している。すなわち、位置やボタンのＯＮ／ＯＦＦ状態などの最新情報を保持している。また、システムコントローラ５は、座標入力装置１２から入力された位置を、グラフィック描画部７にカーソル位置として通知する。
【００２２】
命令入力装置１１は、システムコントローラ５と接続されており、オペレータから、ライブ像取得開始、ライブ像取得停止、ズーム開始、静止画取得、スクロール開始、及びスクロール終了等の各種の指示を受け付け、受け付けた指示に係る情報をシステムコントローラ５へ通知する。
【００２３】
座標入力装置１２は、オペレータが指し示す表示装置１４の表示画面のＸＹ座標を入力する入力手段を有する。尚、この入力手段は、ズーム位置及びスクロール位置も入力する。この入力手段としては、例えば、押しボタンが設けられたマウスやトラックボール等を用いることができる。座標入力装置１２は、例えばマウスやトラックボール等の入力手段によって座標が入力され座標が変更されると、その移動通知及びボタンのＯＮ／ＯＦＦ情報などをシステムコントローラ５に通知する。
【００２４】
表示メモリ８は、例えば、デュアル・ポート・ＲＡＭにより構成されており、表示部１３に表示するラスタ画像を保持する。
表示部１３は、表示メモリ８に保持されているラスタ画像を読み出して、ＣＲＴ等からなる表示装置１４に表示する。
【００２５】
記憶装置１５は、システムコントローラ５と接続されており、システムコントローラ５がデータメモリ６から読み出したラスタ画像を記憶装置１５に保存できるようになっている。
次に、本システムの動作について説明する。
【００２６】
図３(a),(b) は、本システムの動作に係るフローチャートを示し、同図(a) はライブ像表示動作を、同図(b) はスクロール動作を示している。尚、本実施例では、同図(a) のライブ像表示動作と、後述のズーム動作及び同図(b) のスクロール動作とが並列に動作可能になっている。
【００２７】
まず、オペレータが本システムを起動すると、システムコントローラ５は、Ｉ／Ｆ４を介して画像入力部３に対しライブ像取得要求を発行する。画像入力部３は、そのライブ像取得要求を受け取ると、露出制御等を行って顕微鏡画像の光束２から標準ライブ像となるラスタ画像を作成し、Ｉ／Ｆ４を介して、データメモリ６に転送する。そして、Ｉ／Ｆ４は転送が完了すると、システムコントローラ５にライブ像転送完了通知を通知する。システムコントローラ５がライブ像転送完了通知を受け取ると、同図(a) のライブ像表示動作がスタートする。
【００２８】
まず、ステップ（以下単に「Ｓ」という）１では、システムコントローラ５は、後述する同図(b) のスクロール動作（但しＳ８乃至Ｓ１１がＮｏ）の実行中であるか否かを判定し、その判定結果がＹｅｓの場合には本判定を繰り返し、Ｎｏの場合にはＳ２に処理を移行する。すなわち、そのスクロール動作の実行中である場合には、そのスクロール動作が終了するまで待機する。尚、スクロール動作（但しＳ８乃至Ｓ１１がＮｏ）の実行中を、単に、スクロール中ともいう。
【００２９】
Ｓ１の判定結果がＮｏの場合、すなわち、そのスクロール動作の実行中でない場合、続くＳ２では、システムコントローラ５は、グラフィック描画部７に描画合成要求を発行する。グラフィック描画部７は、描画合成要求を受け取ると、データメモリ６からラスタ画像を読み出すと共に、システムコントローラ５から通知されたカーソル位置にカーソルに係るグラフィックを描画合成し、表示メモリ８に転送する。そして、表示部１３は、表示メモリ８に保持されたラスタ画像を読み出して表示装置１４に表示する。
【００３０】
このような処理により、データメモリ６に、例えば、標準ライブ像であるラスタ画像が保持されていたときには、表示装置１４に標準ライブ像が表示され、ズームライブ像であるラスタ画像が保持されていたときには、表示装置１４にズームライブ像が表示される。
Ｓ２のライブ像の表示が完了すると、続くＳ３では、システムコントローラ５は、静止画取得が指示されているか否かを判定し、その判定結果がＹｅｓの場合にはＳ４に処理を移行し、Ｎｏの場合にはＳ６に処理を移行する。
【００３１】
尚、オペレータが命令入力装置１１を介して静止画取得を指示すると、その指示に係る情報が命令入力装置１１からシステムコントローラ５に通知され保持されるようになっているので、このＳ３の判定処理前に、例えば静止画取得が指示されていた場合には、Ｓ３がＹｅｓとなる。
【００３２】
Ｓ３の判定結果がＹｅｓの場合、続くＳ４では、システムコントローラ５は、画像入力部３に対してＩ／Ｆ４を介して静止画取得要求を発行する。画像入力部３は、静止画取得
要求を受け取ると、顕微鏡画像の光束２を高解像度で画質の高い静止画のラスタ画像に変換し、Ｉ／Ｆ４を介してデータメモリ６に転送する。そして、Ｉ／Ｆ４は、転送が完了すると、システムコントローラ５に静止画取得完了通知を通知する。
【００３３】
続くＳ５では、システムコントローラ５は、その静止画取得完了通知を受け取ると、データメモリ６から、その静止画のラスタ画像を読み出し、記憶装置１５に保存する。
一方、Ｓ３の判定結果がＮｏの場合、或いは、Ｓ５の処理が終了すると、続くＳ６では、システムコントローラ５は、ライブ像取得停止が指示されているか否かを判定し、その判定結果がＹｅｓの場合には本フローが終了し、Ｎｏの場合にはＳ７に処理を移行する。
【００３４】
尚、オペレータが命令入力装置１１を介してライブ像取得停止を指示すると、その指示に係る情報が命令入力装置１１からシステムコントローラ５に通知され保持されるようになっているので、このＳ６の判定処理前に、例えばライブ像取得停止が指示されていた場合には、Ｓ６がＹｅｓとなり、本フローが終了する。
【００３５】
Ｓ６の判定結果がＮｏの場合、続くＳ７では、システムコントローラ５は、Ｉ／Ｆ４を介して画像入力部３に対してライブ像取得要求を発行する。
これにより、再び、画像入力部３により露出制御等が行われてラスタ画像（標準ライブ像或いはズームライブ像のラスタ画像）が作成され、そのラスタ画像がデータメモリ６に転送され、ライブ像転送完了通知が通知されると、前述のＳ１に処理が移行し、上述のライブ像表示動作が繰り返される。
【００３６】
尚、Ｓ６がＹｅｓとなって、本フローが終了した後に、オペレータが命令入力装置１１を介してライブ像取得開始を指示したときには、前述の本システムを起動したときと同じように、システムコントローラ５は、ライブ像取得要求をＩ／Ｆ４を介して画像入力部３に発行する。これにより、再び、画像入力部３により露出制御等が行われてラスタ画像（ここでは、標準ライブ像のラスタ画像）が取得され、そのラスタ画像がデータメモリ６に転送され、ライブ像転送完了通知が通知されると、前述のＳ１に処理が移行し、上述のライブ像表示動作が再開される。
【００３７】
次に、ズーム動作及び同図(b) のスクロール動作について説明する。
同図(a) のライブ像表示動作中に、オペレータが命令入力装置１１を介してズーム開始を指示すると、システムコントローラ５は、命令入力装置１１から、その指示に係る情報を受け取り、ズーム動作がスタートする。
【００３８】
システムコントローラ５は、ズーム開始の指示に係る情報を受け取ると、モードをズーム位置入力モードにする。そして、オペレータが座標入力装置１２を介してズーム位置を指定すると、システムコントローラ５は、そのズーム位置を受け取り、そのズーム位置を中心としたズーム範囲を計算により求めて、ズーム要求とそのズーム範囲とをＩ／Ｆ４を介して画像入力部３に通知する。
【００３９】
画像入力部３は、ズーム要求とズーム範囲を受け取ると、以降は、ライブ像取得要求を受け取ると、ラスタ画像を縮小する代わりに、受け取ったズーム範囲のラスタ画像を切り出す処理を行う。例えば、図２を用いて説明したように、ラスタ画像２１のズーム範囲２４を切り出してズームライブ像となるラスタ画像２３を出力する。
【００４０】
以降の動作については、前述の図３(a) に示したとおりであり、標準ライブ像を表示する処理と同様にズームライブ像を表示する処理が行われる。すなわち、画像入力部３は、Ｓ７で発行されたライブ像取得要求を受け取ると、露出制御等を行い、標準ライブ像となるラスタ画像の代わりに、ズームライブ像となるラスタ画像を作成し、Ｉ／Ｆ４を介して、データメモリ６に出力する。そして、Ｉ／Ｆ４は、転送が完了すると、システムコントローラ５にライブ像転送完了通知を通知し、Ｓ２では、グラフィック描画部７は、データメモリ６から、この時に保持されているラスタ画像、すなわちズームライブ像であるラスタ画像を読み出し、システムコントローラ５から通知されたカーソル位置にカーソルに係るグラフィックを描画合成し、表示メモリ８に転送する。そして、表示部１３は、表示メモリ８に保持されたラスタ画像を読み出して表示装置１４に表示する。これにより、表示装置１４には、ズームライブ像が表示され、オペレータが何も指示しなければ、以下、このズームライブ像を表示する処理が繰り返される。
【００４１】
このズームライブ像を表示する処理が行われているときに、オペレータが命令入力装置１１を介してスクロール開始を指示すると、システムコントローラ５は、命令入力装置１１から、その指示に係る情報を受け取り、同図(b) のスクロール動作がスタートする。
まず、Ｓ８では、オペレータが座標入力装置１２を介してズームライブ像のスクロール位置を指定すると、システムコントローラ５は、指定されたＸＹスクロール位置を読み取り、スクロール要求とＸＹスクロール位置をグラフィック描画部７に通知する。
【００４２】
続くＳ９では、グラフィック描画部７は、スクロール要求とＸＹスクロール位置をシステムコントローラ５から受け取ると、ＸＹスクロール位置に従い表示メモリ８上（スクロール領域上）のズームライブ像の表示位置を求める。
続くＳ１０では、グラフィック描画部７は、データメモリ６に保持されているラスタ画像、すなわちスクロール用ライブ像となるズームライブ像のラスタ画像を読み出すと共に、システムコントローラ５から通知されたカーソル位置にカーソルに係るグラフィックを描画合成し、Ｓ９で求めた表示メモリ８上の表示位置に出力する。そして、表示部１３は、表示メモリ８に保持されたズームライブ像を表示装置１４に表示する。
【００４３】
これにより、スクロールされたズームライブ像（「ズームスクロールライブ像」ともいう）が表示される。
続くＳ１１では、システムコントローラ５は、スクロール終了が指示されているか否かを判定し、その判定結果がＹｅｓの場合にはＳ１２に処理を移行し、Ｎｏの場合にはＳ８に処理を戻す。
【００４４】
尚、オペレータが命令入力装置１１を介してスクロール終了を指示すると、その指示に係る情報が命令入力装置１１からシステムコントローラ５に通知され保持されるようになっているので、このＳ１１の判定処理前に、例えばスクロール終了が指示されていた場合には、Ｓ１１がＹｅｓとなる。
【００４５】
従って、オペレータがスクロール終了を指示するまでは、前述のＳ８乃至Ｓ１１がＮｏの処理が繰り返される。尚、この間においては、同図(a) のＳ１の判定がＹｅｓとなりＳ７のライブ像取得要求発行の処理が行われないことになることから、画像入力部３によるラスタ画像の作成は行われず、データメモリ６に保持されているラスタ画像は、同図(b) のスクロール動作開始前のズーム動作によって保持されたズームライブ像のラスタ画像のままである。従って、この間においては、オペレータがスクロール位置を指定する毎に、そのデータメモリ６に保持されているズームライブ像のラスタ画像が、その指定に応じた表示位置に表示されるようになる。
【００４６】
ここで、Ｓ８乃至Ｓ１１がＮｏの処理中において、オペレータのスクロール指示に対して画像入力装置がスクロール結果を表示するシーケンスの一例を図４に示す。
同図に示したように、Ｓ８乃至Ｓ１１がＮｏの処理中においては、各スクロール位置の指定に対して、画像入力部３による露出制御及びラスタ画像の作成は行われず、スクロール動作実行前にデータメモリ６に保持されたズームライブ像のラスタ画像を用いてスクロールが行われることになるので、オペレータによるスクロール位置の指定に対して直ぐにスクロール結果を表示することができる。
【００４７】
一方、図３(b) のＳ１１の判定結果がＹｅｓの場合、続くＳ１２では、システムコントローラ５は、最後に取得したＸＹスクロール位置からズーム範囲を求め、Ｉ／Ｆ４を介して、画像入力部３に、ズーム要求とそのズーム範囲を通知し、本フローが終了する。尚、最後に取得したＸＹスクロール位置は、スクロールが終了した時点のスクロール位置でもある。
【００４８】
画像入力部３が、そのズーム要求とズーム範囲を受け取った以降の処理については、前述の同図(a) に示したとおりである。すなわち、画像入力部３は、Ｓ７で発行されたライブ像取得要求を受け取ると、露出制御等を行い、Ｓ１２で新しく通知されたズーム範囲に従ってズームライブ像を切り出したラスタ画像を作成し、Ｉ／Ｆ４を介して、データメモリ６に出力する。そして、Ｉ／Ｆ４は、転送が完了すると、システムコントローラ５にライブ像転送完了通知を通知し、Ｓ２では、グラフィック描画部７は、データメモリ６から、この時に保持されているラスタ画像、すなわちズームライブ像であるラスタ画像を読み出し、システムコントローラ５から通知されたカーソル位置にカーソルに係るグラフィックを描画合成し、表示メモリ８に転送する。そして、表示部１３は、表示メモリ８に保持されているラスタ画像を読み出して表示装置１４に表示する。これにより、表示装置１４には、ズームライブ像が表示され、オペレータが何も指示しなければ、以下、このズームライブ像を表示する処理が繰り返される。
【００４９】
ここで、上述した図３(a) のライブ像表示動作とズーム動作及び同図(b) のスクロール動作によって表示装置１４に表示されたライブ像の一例を、図５(a),(b),(c),(d) に示す。
同図(a) は、ズーム動作及び図３(b) のスクロール動作開始前の、同図(a) のライブ像表示動作（Ｓ２）によって表示された標準ライブ像の一例を示している。但し、ここでは、カーソルを省略して示している。
【００５０】
図５(b) は、オペレータが、同図(a) の標準ライブ像が表示されているときに、命令入力装置１１を介してズーム開始を指示すると共に座標入力装置１２を介してズーム位置を指定したときの、図３(a) のライブ像表示動作（Ｓ２）によって表示されたズームライブ像の一例を示している。尚、３１はカーソルである。
【００５１】
図５(c) は、オペレータが、同図(b) のズームライブ像が表示されているときに、命令入力装置１１を介してスクロール開始を指示すると共に座標入力装置１２を介してスクロール位置を指定したときの、図３(b) のスクロール動作（Ｓ１０）によって表示されたズームスクロールライブ像の一例を示している。
【００５２】
図５(d) は、オペレータが、同図(c) のズームスクロールライブ像が表示されているときに、命令入力装置１１を介してスクロール終了を指示したときの、図３(a) のライブ像表示動作（Ｓ２）によって表示されたズームライブ像の一例を示している。但し、ここでも、カーソルを省略して示している。
【００５３】
以上、本実施例によれば、スクロール位置が指定される毎に、画像入力部３による露出制御やラスタ画像の作成を行わず、スクロール開始が指示される前（スクロール動作実行前）にデータメモリ６に保持されたズームライブ像のラスタ画像のみを用いてスクロールを行うようにしたので、微弱蛍光顕微鏡像撮影のように露出時間が長くライブ像の更新スピードが遅くなるような場合でも、ズーム時のスクロールをレスポンス良く行うことができる
これにより、微弱蛍光顕微鏡像であっても、オペレータは、リアルタイムにスクロールすることができ、標本の細部をステージを操作することなく確認することが容易にできる。
【実施例２】
【００５４】
本実施例では、実施例１において、スクロール動作中であっても画像入力部３にスクロール位置を通知してズームライブ像を取得し、スクロールに使用していたズームライブ像に、新しく取得したズームライブ像を合成し、実施例１では表示されていなかったスクロール領域（例えば図５(c) のスクロール領域中のズームスクロールライブ像以外の領域）を逐次更新するようにしたものである。
【００５５】
本実施例に係る画像入力装置を含む顕微鏡システムの構成は、図１に示した構成と同じであるが、その一部においては、更に、次のような機能が付加されている。
画像入力部３には、システムコントローラ５から通知されたズーム範囲に応じて作成したズームライブ像であるラスタ画像に、そのズーム範囲を添付してＩ／Ｆ４に出力する機能が付加されている。
【００５６】
Ｉ／Ｆ４には、ズーム範囲を添付したラスタ画像をデータメモリ６に転送する機能が付加されている。尚、Ｉ／Ｆ４は、そのズーム範囲を添付したラスタ画像の転送を完了したときも、ライブ像転送完了通知をシステムコントローラ５に通知する。
システムコントローラ５には、Ｉ／Ｆ４からライブ像転送完了通知を受け取ると、グラフィック描画部７にズームライブ像合成要求を発行する機能が付加されている。
【００５７】
グラフィック描画部７には、ズームライブ像合成要求を受け取ると、スクロールに使用していたズームライブ像と新しく取得したズームライブ像とを、その新しく取得したズームライブ像のラスタ画像に添付されていたズーム範囲に基づいて、合成する機能が付加されている。
【００５８】
次に、本実施例に係るシステムの動作について説明する。
図６(a),(b) は、本システムの動作に係るフローチャートを示し、同図(a) はライブ像表示動作を、同図(b) はスクロール動作を示している。
尚、同図(a),(b) に示した動作は、実施例１に係る図３(a),(b) に示した動作と、ほぼ同じであるが、一部が異なる。また、本実施例においても、図６(a) のライブ像表示動作と、本実施例で行われるズーム動作（実施例１に係るズーム動作と同じ）及び同図(b) のスクロール動作とが並列に動作可能になっている。
【００５９】
実施例１と同様に、オペレータが本システムを起動すると、標準ライブ像となるラスタ画像が作成・転送され、システムコントローラ５がライブ像転送完了通知を受け取ると、図６(a) のライブ像表示動作がスタートする。
まず、Ｓ１では、システムコントローラ５は、後述する図６(b) のスクロール動作（但しＳ８、Ｓ２３、及びＳ９乃至Ｓ１１がＮｏ）を実行中であるか否かを判定し、その判定結果がＹｅｓの場合にはＳ２１に処理を移行し、Ｎｏの場合にはＳ２へ処理を移行する。尚、Ｓ２以降の処理については、実施例１に係る図３(a) のＳ２以降の処理と同じであるので、ここでは説明を省略する。
【００６０】
また、スクロール動作（但しＳ８、Ｓ２３、及びＳ９乃至Ｓ１１がＮｏ）の実行中を、単に、スクロール中ともいう。
図６(a) のＳ１の判定結果がＹｅｓの場合、続くＳ２１では、システムコントローラ５は、グラフィック描画部７にズームライブ像合成要求を発行し、グラフィック描画部７は、ズームライブ像合成要求を受け取ると、ライブ像合成処理を行う。ライブ像合成処理では、グラフィック描画部７が、データメモリ６から、ズーム範囲を添付したズームライブ像であるラスタ画像を読み出し、そのズーム範囲が前回に取得したズーム範囲と異なる場合には、そのズーム範囲に基づいて、スクロールに使用していたズームライブ像に、新しく取得したズームライブ像を合成する。尚、ズームライブ像の合成は、そのズーム範囲に対応する範囲に、その新しく取得したズームライブ像をコピーすることで行う。以降、グラフィック描画部７は、異なるズーム範囲のズームライブ像であるラスタ画像を取得するまでは、ここで合成したズームライブ像を、スクロールに使用するズームライブ像として取り扱う。尚、グラフィック描画部７は、合成したズームライブ像をスクロールに使用するズームライブ像として取り扱う前、例えばズームライブ像の合成をまだ一度も行っていない場合等には、実施例１と同様に、同図(b) のスクロール動作実行前にデータメモリ６に保持されていたズームライブ像を、スクロールに使用するズームライブ像として取り扱う。
【００６１】
続くＳ２２では、システムコントローラ５は、Ｉ／Ｆ４を介して画像入力部３に対してライブ像取得要求を発行し、Ｓ１に処理を移行する。
尚、Ｓ２２で発行されたライブ像取得要求を受け取った画像入力部３は、露出制御等を行ってラスタ画像を取得し、システムコントローラ５から通知されているズーム範囲に従って、ズームライブ像となるラスタ画像を作成し、そのズームライブ像であるラスタ画像に、そのズーム範囲を添付して、Ｉ／Ｆ４を介して、データメモリ５に出力する。
【００６２】
次に、本実施例に係る、ズーム動作及び同図(b) のスクロール動作について説明する。
同図(a) のライブ像表示動作中に、オペレータが命令入力装置１１を介してズーム開始を指示すると、システムコントローラ５は、命令入力装置１１から、その指示に係る情報を受け取り、ズーム動作がスタートする。
【００６３】
尚、本実施例で行われるズーム動作は、実施例１に係るズーム動作と同じである。すなわち、オペレータがズーム位置を指定すると、対応するズームライブ像を表示装置１４に表示する。
このズーム動作により、ズームライブ像が表示されているときに、オペレータが命令入力装置１１を介してスクロール開始を指示すると、同図(b) のスクロール動作がスタートする。
【００６４】
尚、本実施例で行われるスクロール動作は、実施例１に係るスクロール動作（図３(b) 参照）とほぼ同じであるが一部が異なる。
まず、Ｓ８では、実施例１と同じ処理が行われるが、続くＳ２３では、システムコントローラ５は、Ｓ８で取得したＸＹスクロール位置からズーム範囲を求め、Ｉ／Ｆ４を介して、画像入力部３に、ズーム要求とそのズーム範囲を通知する。
【００６５】
これにより、そのズーム要求とズーム範囲を受け取った画像入力部３は、更に、Ｓ２２のライブ像取得要求を受け取ることにより、そのズーム範囲に応じたズームライブ像となるラスタ画像を作成し、そのズームライブ像であるラスタ画像にそのズーム範囲を添付して、Ｉ／Ｆ４を介して、データメモリ６に出力する。
【００６６】
続くＳ９以降の処理は、実施例１と同じ処理が行われるが、Ｓ９で求められる表示メモリ８上（スクロール領域上）の表示位置は、スクロールに使用するものとして取り扱われているズームライブ像の表示位置となり、Ｓ１０で表示されるズームライブ像は、スクロールに使用するものとして取り扱われているズームライブ像となる。従って、例えばＳ１０で表示されるズームライブ像は、図６(b) のスクロール動作実行前にデータメモリ６に保持されていたズームライブ像、又はグラフィック描画部７により合成されたズームライブ像になる。
【００６７】
ここで、上述した図６(a) のライブ像表示動作と、ズーム動作及び同図(b) のスクロール動作によって表示装置１４に表示されたライブ像の一例を、図７(a),(b),(c),(d),(e),(f) に示し、ズームライブ像の合成を説明する図を同図(g) に示す。
同図(a) は、ズーム動作及び図６(b) のスクロール動作開始前の、同図(a) のライブ像表示動作（Ｓ２）によって表示された標準ライブ像の一例を示している。但し、ここでは、カーソルを省略して示している。
【００６８】
図７(b) は、オペレータが、同図(a) の標準ライブ像が表示されているときに、命令入力装置１１を介してズーム開始を指示すると共に座標入力装置１２を介してズーム位置を指定したときの、図６(a) のライブ像表示動作（Ｓ２）によって表示されたズームライブ像の一例を示している。
【００６９】
図７(c) は、オペレータが、同図(b) のズームライブ像が表示されているときに、命令入力装置１１を介してスクロール開始を指示すると共に座標入力装置１２を介してスクロール位置を指定したときの、図６(b) のスクロール動作（Ｓ１０）によって表示されたズームスクロールライブ像の一例を示している。尚、この時のスクロール位置の指定以前においてはスクロール位置の指定が行われていないことから、図７(c) のズームスクロールライブ像は、グラフィック描画部７が、図６(b) のスクロール動作実行前のデータメモリ６に保持されていたズームライブ像をスクロールに使用するズームライブ像として取り扱っているときに、同図(b) のスクロール動作（Ｓ１０）によって表示されたものである。また、この図７(c) の時のスクロール位置の指定により、画像入力部３には、ズーム要求とそのスクロール位置に応じたズーム範囲が通知される。また、同図(c) において、無効領域３６は、スクロール領域中のズームスクロールライブ像が表示されていない領域を示している。
【００７０】
同図(d) は、オペレータが、同図(c) のズームスクロールライブ像が表示されているときに、座標入力装置１２を介してスクロール位置を指定したときの、図６(b) のスクロール動作（Ｓ１０）によって表示されたズームスクロールライブ像の一例を示している。尚、図７(c) のズームスクロールライブ像は、グラフィック描画部７が、まだ、図６(b) のスクロール動作実行前のデータメモリ６に保持されていたズームライブ像をスクロールに使用するズームライブ像として取り扱っているときに、同図(b) のスクロール動作（Ｓ１０）によって表示されたものである。また、この図７(d) の時のスクロール位置の指定により、画像入力部３には、ズーム要求とそのスクロール位置に応じたズーム範囲が通知される。
【００７１】
図７(e) は、オペレータが、同図(d) のズームスクロールライブ像が表示されているときに、座標入力装置１２を介してスクロール位置を指定したときの、図６(b) のスクロール動作（Ｓ１０）によって表示されたズームスクロールライブ像の一例を示している。尚、図７(e) のズームスクロールライブ像は、グラフィック描画部７が、図６(b) のスクロール動作実行前のデータメモリ６に保持されていたズームライブ像（図７(b),(c) 又は(d) に示したスクロールに使用していたズームライブ像）と、同図(c) の表示のときのスクロール位置の指定によりズーム要求及びズーム範囲が通知された画像入力部３により作成されたズームライブ像とを合成するライブ像合成処理を行い（Ｓ２１）、その合成したズームライブ像３７を、スクロールに使用するズームライブ像として取り扱うようにしたときに、図６(b) のスクロール動作（Ｓ１０）によって表示されたものである。また、この図７(e) の時のスクロール位置の指定により、画像入力部３には、ズーム要求とそのスクロール位置に応じたズーム範囲が通知される。
【００７２】
ここで、このときのズームライブ像の合成を同図(g) を用いて更に詳しく説明する。
同図(g) において、ズームライブ像３８は、図６(b) のスクロール動作実行前のデータメモリ６に保持されていたズームライブ像（図７(b),(c) 又は(d) に示したスクロールに使用していたズームライブ像）であり、ズームライブ像３９は、同図(c) の表示のときのスクロール位置の指定によりズーム要求及びズーム範囲が通知された画像入力部３により作成されたズームライブ像である。ズームライブ像３７は、ズームライブ像３８とズームライブ像３９とを、ズームライブ像３９に添付されていたズーム範囲（同図(c) の表示のときのスクロール位置の指定により通知されたズーム範囲）に基づいて、合成したズームライブ像である。同図(e) においては、このズームライブ像３７が、同図(e) の表示のときにオペレータが指定したスクロール位置に応じた位置に表示されたものである。これにより、スクロール動作実行中における、スクロール領域中の無効領域３６を減少させることが可能になる。
【００７３】
同図(f) は、オペレータが、同図(e) のズームスクロールライブ像が表示されているときに、命令入力装置１１を介してスクロール終了を指示した後に、図６(a) のライブ像表示動作（Ｓ２）によって表示されたズームライブ像の一例を示している。但し、ここでも、カーソルを省略して示している。
【００７４】
このように、本動作によれば、オペレータがスクロール開始を指示してから、スクロール位置の指定を繰り返すと、スクロール開始を指示してから暫くの間は、実施例１と同様に、スクロール動作実行前のズームライブ像がスクロールに使用するズームライブ像として取り扱われ、一方で、オペレータがスクロール位置を指定する毎に、画像入力部３にはズーム要求及びズーム範囲が通知されるので、ズーム範囲の異なるズームライブ像が新たに取得された場合には、グラフィックス描画部７により、スクロールに使用されていたズームライブ像と、その新たに取得されたズームライブ像とが合成され、その合成されたズームライブ像が、以降のスクロールに使用するズームライブ像として取り扱われる。従って、スクロールを高速に行うことができると共に、スクロール動作実行中において、スクロール領域中の無効領域を減少させることができる。
【００７５】
以上、本実施例によれば、スクロール位置が指定される毎にズーム範囲が画像入力部３に通知され、グラフィック描画部７は、スクロール動作実行前にデータメモリ５に保持されているズームライブ像、又は、新しくズーム範囲の異なるズームライブ像を取得したときにはそのズームライブ像とそれまでにスクロールに使用していたズームライブ像とを合成したズームライブ像、をスクロールに使用するズームライブ像として取り扱うようにしたので、微弱蛍光顕微鏡像撮影のように露出時間が長くライブ像の更新スピードが遅くなるような場合でも、ズーム時のスクロールをレスポンス良く行うことができ、かつ、スクロールに使用するズームライブ像の面積を逐次増やすことができる。よって、スクロールのリアルタイム性を保ちつつスクロールの表示範囲を増やすことができる。
【実施例３】
【００７６】
本実施例では、スクロール動作実行前に、高解像度の全体の静止画を取得し、その静止画を用いてスクロールを行うようにしたものである。
本実施例に係る画像入力装置を含む顕微鏡システムの構成は、図１に示した構成と同じであるので、ここではその説明を省略する。
【００７７】
本実施例に係るシステムの動作において、ライブ像表示動作は、実施例１に係る図３(a) に示した動作と同じであるので、ここではその説明を省略する。
一方、本実施例に係る、ズーム動作及びスクロール動作は、実施例１のものとほぼ同じであるが、一部が異なる。
【００７８】
図８は、本実施例に係る、ズーム動作及びスクロール動作に係るフローチャートを示した図である。
尚、本実施例でも、ライブ像表示動作と、同図のズーム動作及びスクロール動作とが並列に動作可能になっている。
【００７９】
ライブ像表示動作の実行中に、オペレータが命令入力装置１１を介してズーム開始を指示すると、システムコントローラ５は、命令入力装置１１から、その指示に係る情報を受け取り、本動作がスタートする。
まず、Ｓ３１では、システムコントローラ５は、ズーム開始の指示に係る情報を受け取ると、モードをズーム位置入力モードにする。そして、システムコントローラ５は、Ｉ／Ｆ４を介して画像入力部３に静止画取得要求を発行する。画像入力部３は、静止画取得要求を受け取ると、高解像度で画質の高い静止画のラスタ画像を取得し、そのラスタ画像をＩ／Ｆ４を介してデータメモリ６に出力する。
【００８０】
続くＳ３２では、システムコントローラ５は、Ｉ／Ｆ４から静止画転送完了通知が通知されたか否かを判定し、その判定結果がＹｅｓの場合は、グラフィック描画部７に対し、データメモリ６に保持されている静止画のラスタ画像をスクロールに使用するように通知した後、Ｓ８に処理を移行し、その判定結果がＮｏの場合は当該判定を繰り返す。
【００８１】
尚、グラフィック描画部７は、その通知を受け取ると、データメモリ６に保持されている静止画のラスタ画像を読み出すと共に、システムコントローラ５から通知されたカーソル位置にカーソルに係るグラフィックを描画合成し、表示メモリ８上の所定の表示位置に出力する。そして、表示部１３は、表示メモリ８に保持されているラスタ画像を表示装置１４に表示する。これにより、静止画の所定ズーム範囲のズームライブ像が表示される。
【００８２】
Ｓ８以降の処理は、スクロールに使用するズームライブ像が、静止画取得要求により取得された静止画になったこと以外は、実施例１の図３(b) に示した動作と同じであるので、説明を省略する。
ここで、本実施例において、ライブ像表示動作と図８のズーム動作及びスクロール動作によって表示装置１４に表示されたライブ像の一例を、図９(a),(b),(c),(d) に示し、静止画とズーム範囲との関係を説明した図を同図(e) に示す。
【００８３】
同図(a) は、図８のズーム動作及びスクロール動作開始前の、ライブ像表示動作（Ｓ２）によって表示された標準ライブ像の一例を示している。但し、ここでは、カーソルを省略して示している。
図９(b) は、オペレータが、同図(a) の標準ライブ像が表示されているときに、命令入力装置１１を介してズーム開始を指示したときの、表示装置１４に表示されたズームライブ像の一例を示している。尚、同図(b) のズームライブ像は、同図(e) に示したように、ズーム開始の指示に応じて取得された静止画４１における、所定ズーム範囲４２のライブ像である。
【００８４】
同図(c) は、オペレータが、同図(b) のズームライブ像が表示されているときに、命令入力装置１１を介してスクロール開始を指示すると共に座標入力装置１２を介してスクロール位置を指定したときの、図８のズーム動作及びスクロール動作（Ｓ１０）によって表示されたズームスクロールライブ像の一例を示している。尚、図９(c) のズームスクロールライブ像は、同図(e) に示したように、指定されたスクロール位置に応じたズーム範囲４３のズームライブ像である。
【００８５】
同図(d) は、オペレータが、同図(c) のズームスクロールライブ像が表示されているときに、命令入力装置１１を介してスクロール終了を指示したときの、ライブ像表示動作（Ｓ２）によって表示されたズームライブ像の一例を示している。但し、ここでも、カーソルを省略して示している。
【００８６】
以上、本実施例によれば、スクロール位置が指定される毎に、ズーム開始が指示されたときに取得された静止画を使用してスクロールを行うようにしたので、微弱蛍光顕微鏡像撮影のように露出時間が長くライブ像の更新スピードが遅くなるような場合でも、ズーム時のスクロールをレスポンス良く行うことができる。
【００８７】
また、スクロール動作実行前に、一旦、全体の静止画を取得して、その静止画を用いてスクロールを行うようにしたので、常に、スクロール範囲全ての領域を参照しながらスクロールすることができる。
以上、実施例１乃至３について詳細に説明したが、各実施例においては、次のような変形例も考えられる。例えば、各実施例では、標準ライブ像とズームライブ像の二種類のライブ像を用いて説明しているが、ズーム倍率を複数指定できるようにして三種類以上のライブ像を用いるようにすることも可能である。また、各実施例において、命令入力装置１１は、パーソナルコンピュータを用いた場合には、ＧＵＩ（ Graphical User Interface ）によって実現することも可能である。
【００８８】
実施例２のように、スクロールされる毎に、静止画取得要求を発行して新しい画像を取得して更新するようにしても良い。この場合は、スクロール中に定期的に最新の画像を参照することができる。
以上、本発明の画像入力装置、画像入力方法、及び画像入力プログラムについて詳細に説明したが、本発明は上記実施形態に限定されず、本発明の要旨を逸脱しない範囲において、各種の改良及び変更を行っても良いのはもちろんである。
【図面の簡単な説明】
【００８９】
【図１】実施例１に係る画像入力装置を含む顕微鏡システムの構成を示した図である。
【図２】画像入力部が出力するラスタ画像の一例を示した図である。
【図３】(a),(b) は、実施例１に係る、顕微鏡システムの動作に係るフローチャートである。
【図４】オペレータのスクロール指示に対して画像入力装置がスクロール結果を表示するシーケンスの一例を示した図である。
【図５】(a),(b),(c),(d) は、実施例１に係る、ライブ像表示動作とズーム動作及びスクロール動作によって表示装置に表示されるライブ像の一例を示した図である。
【図６】(a),(b) は、実施例２に係る、顕微鏡システムの動作に係るフローチャートである。
【図７】(a),(b),(c),(d),(e),(f) は、実施例２に係る、ライブ像表示動作とズーム動作及びスクロール動作によって表示装置に表示されるライブ像の一例を示した図、(g) はズームライブ像の合成を説明する図である。
【図８】実施例３に係る、ズーム動作及びスクロール動作に係るフローチャートである。
【図９】(a),(b),(c),(d) は、実施例３に係る、ライブ像表示動作とズーム動作及びスクロール動作によって表示装置に表示されるライブ像の一例を示した図、(e) は、静止画とズーム範囲との関係を説明した図である。
【図１０】(a),(b) は、従来の画像入力装置を顕微鏡撮影に適用したときの、オペレータのスクロール指示に対して画像入力装置がスクロール結果を表示するシーケンスの一例を示した図である。
【符号の説明】
【００９０】
１      顕微鏡
２      光束
３      画像入力部
４      Ｉ／Ｆ
５      システムコントローラ
６      データメモリ
７      グラフィック描画部
８      表示メモリ
９      プログラムメモリ
１０    コントロールプログラム
１１    命令入力装置
１２    座標入力装置
１３    表示部
１４    表示装置
１５    記憶装置
２１    ラスタ画像
２２    ラスタ画像（標準ライブ像）
２３    ラスタ画像（ズームライブ像）
２４    ズーム範囲
３１    カーソル
３６    無効領域
３７、３８、３９  ズームライブ像
４１    静止画
４２、４３  ズーム範囲
【図１】
2005221709.tif 000003
【図２】
2005221709.tif 000004
【図３】
2005221709.tif 000005
【図４】
2005221709.tif 000006
【図５】
2005221709.tif 000007
【図６】
2005221709.tif 000008
【図７】
2005221709.tif 000009
【図８】
2005221709.tif 000010
【図９】
2005221709.tif 000011
【図１０】
2005221709.tif 000012